(57)【特許請求の範囲】
【請求項１】
第一の筐体と第二の筐体とをヒンジ部を介して連結した折り畳み式携帯端末装置において、
前記第一の筐体に設けた前記ヒンジ部を前記第二の筐体とともに長手方向に開閉する第一回動軸と、
前記ヒンジ部に前記第一回動軸に直交するように設けられ、前記第二の筐体を短手方向に開閉する第二回動軸と、
前記第二の筐体の前記ヒンジ部と連結された箇所の近傍に設けた第一の磁石と、
前記ヒンジ部に設けた第二の磁石と、
前記第一の筐体に、前記第二の筐体を閉じた状態で前記第一の磁石と対向する位置に設けた第一の磁気検出手段と、
前記第二の筐体に、前記第二の筐体を閉じた状態で前記第二の磁石と対向する位置に設けた第二の磁気検出手段と、を有し、
前記第一の磁気検出手段は、前記第一の磁石の発生する磁気の検出に基づいて、前記第二の筐体の長手方向の開閉を検出し、
前記第二の磁気検出手段は、前記第二の磁石の発生する磁気の検出に基づいて、前記第二の筐体の短手方向の開閉を検出することを特徴とする折り畳み式携帯端末装置。
【請求項２】
第一の筐体と第二の筐体とをヒンジ部を介して連結した折り畳み式携帯端末装置において、
前記第一の筐体と複数の軸受け部で連結された前記ヒンジ部を前記第二の筐体とともに長手方向に開閉する第一回動軸と、
前記ヒンジ部の、前記複数の軸受け部のうちの前記ヒンジ部の片隅に設けられた軸受け部に、前記第一回動軸に直交するように設けられ、前記第二の筐体を短手方向に開閉する第二回動軸と、
前記第二の筐体の前記ヒンジ部と連結された箇所の近傍に設けた第一の磁石と、
前記ヒンジ部の前記第二回動軸の反対側に設けた第二の磁石と、
前記第一の筐体に、前記第二の筐体を閉じた状態で前記第一の磁石と対向する位置に設けた第一の磁気検出手段と、
前記第二の筐体に、前記第二の筐体を閉じた状態で前記第二の磁石と対向する位置に設けた第二の磁気検出手段と、を有し、
前記第一の磁気検出手段は、前記第一の磁石の発生する磁気の検出に基づいて、前記第二の筐体の長手方向の開閉を検出し、
前記第二の磁気検出手段は、前記第二の磁石の発生する磁気の検出に基づいて、前記第二の筐体の短手方向の開閉を検出することを特徴とする折り畳み式携帯端末装置。
【請求項３】
第一の筐体と第二の筐体とを前記第一の筐体の短手方向に略平行な一端辺部に沿って配設したヒンジ部を介して連結した折り畳み式携帯端末装置において、
前記第一の筐体に設けた前記ヒンジ部を前記第二の筐体とともに長手方向に開閉する第一回動軸と、
前記ヒンジ部の片隅に前記第一回動軸に直交するように設けられ、前記第二の筐体を短手方向に開閉する第二回動軸と、
前記第二の筐体の前記ヒンジ部と連結された箇所の近傍に設けた第一の磁石と、
前記ヒンジ部の前記第二回動軸の反対側に設けた第二の磁石と、
前記第一の筐体に、前記第二の筐体を閉じた状態で前記第一の磁石と対向する位置に設けた第一の磁気検出手段と、
前記第二の筐体に、前記第二の筐体を閉じた状態で前記第二の磁石と対向する位置に設けた第二の磁気検出手段と、を有し、
前記第一の磁気検出手段は、前記第一の磁石の発生する磁気の検出に基づいて、前記第二の筐体の長手方向の開閉を検出し、
前記第二の磁気検出手段は、前記第二の磁石の発生する磁気の検出に基づいて、前記第二の筐体の短手方向の開閉を検出することを特徴とする折り畳み式携帯端末装置。
【請求項４】
第一の筐体と第二の筐体とをヒンジ部を介して連結した折り畳み式携帯端末装置において、
前記第一の筐体に設けた前記ヒンジ部を前記第二の筐体とともに長手方向に開閉する第一回動軸と、
前記ヒンジ部の片隅に前記第一回動軸に直交するように設けられ、前記第二の筐体を短手方向に開閉する第二回動軸と、
前記第一の筐体に設けた係合ピンと、
前記第二の筐体に設けた係合部と、
前記第二の筐体の前記ヒンジ部と連結された箇所の近傍に設けた第一の磁石と、
前記ヒンジ部の前記第二回動軸の反対側に設けた第二の磁石と、
前記第一の筐体に、前記第二の筐体を閉じた状態で前記第一の磁石と対向する位置に設けた第一の磁気検出手段と、
前記第二の筐体に、前記第二の筐体を閉じた状態で前記第二の磁石と対向する位置に設けた第二の磁気検出手段と、を有し、
前記係合ピンと前記係合部とは、前記第二の筐体が短手方向に開くときに、第二の筐体の回動を支える支持部として機能し、
前記第一の磁気検出手段は、前記第一の磁石の発生する磁気の検出に基づいて、前記第二の筐体の長手方向の開閉を検出し、
前記第二の磁気検出手段は、前記第二の磁石の発生する磁気の検出に基づいて、前記第二の筐体の短手方向の開閉を検出することを特徴とする折り畳み式携帯端末装置。
【請求項５】
長手方向及び短手方向の両方同時に開かれたことを検出したときは、警告動作を行なうことを特徴とする請求項１乃至請求項４のいずれか１項に記載の折り畳み式携帯端末装置。
【請求項６】
無線電話通信手段を有し、
着信時において、前記第二の筐体が長手方向に開いたことを前記第一の磁気検出手段が検出したときに、前記無線電話通信手段の回線を接続することを特徴とする請求項１乃至請求項４のいずれか１項に記載の折り畳み式携帯電話機。
【発明の詳細な説明】
【技術分野】
【０００１】
本発明は、２つの回動軸を備え長手方向と短手方向に開閉可能に構成した折り畳み式携帯端末装置に関し、特に長手方向と短手方向に開閉可能に構成した折り畳み式携帯電話機に関する。
【背景技術】
【０００２】
２つの筐体を折り畳んで収納できるようにした折り畳み式携帯電話機では、テンキーなどの操作部のある第一の筐体を手に持って、第二の筐体にある表示部を見るという使い方が一般的である。そのため、表示部は長手方向に伸ばして用いられることが多い。
【０００３】
ところが最近、テレビジョン放送を受信して表示する携帯電話機が実用化され、普及し始めている。横長のテレビジョン放送画面を見るには、表示部を短手方向に９０度回転させたほうが見やすい。そのため、表示部のある第二の筐体を機械的に回転させて、表示部の方向を長手方向から短手方向に切り替える構造が提案されている（例えば、特許文献１参照）。
【０００４】
従来から提案されている折り畳み式携帯電話機の一例を図１３から図１５に示す。図１３の携帯電話機６０は、操作部７１を有する第一の筐体６１と、表示部７２を有する第二の筐体６２と、ヒンジ部６３の３つの筐体で構成されている。そして、第一の筐体６１に設けた第一回動軸６１ａにヒンジ部６３を矢印Ａ方向に回動自在に支持し、ヒンジ部６３の上端に設けた第二回動軸６３ａの周りに、表示部７２を有する第二の筐体６２を回動自在に支持している。このため、携帯電話機６０は、図１４に示すようにヒンジ部６３を第一の筐体６１に対して垂直に立てた状態で、第二の筐体６２をヒンジ部６３の第二回動軸６３ａの周りに矢印Ｂの方向に回転することができる。この状態で、第二の筐体６２をヒンジ部６３とともに矢印Ｃの方向に倒すと、携帯電話機６０は、図１５に示すように第二の筐体６２の表示部７２を短手方向に開いた形で使用することができる。
【０００５】
このように、従来の携帯電話機６０では、表示部７２を長手方向の状態から短手方向の状態にするために、図１３から図１５に示したように、矢印Ａの回転操作、矢印Ｂの回転操作、矢印Ｃの回転操作という３段階の回転操作を行なっている。そして、回転操作による筐体の機械的な動きを検出して、表示する画像の表示方向を筐体の動きに連動して切り替えている。
【０００６】
ここで従来の携帯電話機６０の変形例として、図１６に示すように、第二の筐体６２を第一の筐体６１の上に重ねた状態から矢印Ｄの方向に開くとすれば、一度の操作で表示部７２を短手方向の状態に設定することができて便利である。この場合、第二の筐体６２を折り畳んだ状態から開いたときに、長手方向に開かれたのか、短手方向に開かれたのかを適切に判定して表示部の表示方向を正しく決定することが必要になる。
【０００７】
また、折り畳み式携帯電話機の中には、着信があったときに筐体が開くと自動的に回線を接続し、回線接続後に筐体が閉じると自動的に回線を切断する回線接続制御機能を搭載したものが実用化されている。この携帯電話機によれば、筐体が開いただけで、通話開始ボタンを押さずに直ぐに通話できるので便利である。また筐体を閉じただけで、通話終了ボタンを押さずに簡単に終話できるので便利である。
【０００８】
前記携帯電話機６０に、筐体の開閉に応じて自動的に回線を接続、あるいは切断する回線接続制御機能を搭載した場合、第二の筐体６２が長手方向に開いたのか、短手方向に開いたのかを正しく識別することが重要になる。すなわち、従来の携帯電話機６０に回線接続制御機能を搭載した場合、図１３のように、携帯電話機６０が長手方向に開かれたことを検出して回線を接続すれば問題なく通話できる。ところが、図１６のように、携帯電話機６０を短手方向に開いた状態で回線を接続してしまうと、マイクロフォンとスピーカの位置が人間の口と耳の位置関係と合致しないので通話することができない。あわてて第二の筐体６２を図１５の矢印Ｄと逆向きに一旦閉じてから、図１３のように長手方向に開きなおす動作をしたときには、第二の筐体６２が一度閉じたことにより回線が切断される。そのため、第二の筐体６２を長手方向に開きなおしたときは、もはや通話することができない。
【特許文献１】特開２００６−２２８９９号公報
【発明の開示】
【発明が解決しようとする課題】
【０００９】
本発明は、携帯電話機、ゲーム機やテレビ受信機能をもったＰＤＡ（Ｐｅｒｓｏｎａｌ  Ｄｉｇｉｔａｌ  Ａｓｓｉｓｔａｎｔｓ）など、２つの回動軸を備え長手方向と短手方向に開閉可能に構成した折り畳み式携帯端末装置で、第二の筐体を折り畳んだ状態から開いたときに、長手方向に開かれたのか、短手方向に開かれたのかを適切に判定して表示部の表示方向を正しく決定することを第一の課題としている。
【００１０】
そして、２つの回動軸を備え長手方向と短手方向に開閉可能にした構成に無線電話通信手段を更に設け、着信時に筐体が開いたときに自動的に回線を接続し、回線接続後に筐体が閉じれば回線を切断する機能を搭載したときに、着信時に筐体を長手方向に開いたときには回線を接続するが、短手方向に開いたときには回線を接続してしまうことのない使い勝手の良い折り畳み式携帯電話機を実現することを第二の課題としている。
【課題を解決するための手段】
【００１１】
本発明は、第一の筐体と第二の筐体とをヒンジ部を介して連結した折り畳み式携帯端末装置において、前記第一の筐体に設けた前記ヒンジ部を前記第二の筐体とともに長手方向に開閉する第一回動軸と、前記ヒンジ部に前記第一回動軸に直交するように設けられ、前記第二の筐体を短手方向に開閉する第二回動軸と、前記第二の筐体の前記ヒンジ部と連結された箇所の近傍に設けた第一の磁石と、前記ヒンジ部に設けた第二の磁石と、前記第一の筐体に、前記第二の筐体を閉じた状態で前記第一の磁石と対向する位置に設けた第一の磁気検出手段と、前記第二の筐体に、前記第二の筐体を閉じた状態で前記第二の磁石と対向する位置に設けた第二の磁気検出手段と、を有し、前記第一の磁気検出手段は、前記第一の磁石の発生する磁気の検出に基づいて、前記第二の筐体の長手方向の開閉を検出し、前記第二の磁気検出手段は、前記第二の磁石の発生する磁気の検出に基づいて、前記第二の筐体の短手方向の開閉を検出するように構成している。
【００１２】
本発明は、第一の筐体と第二の筐体とをヒンジ部を介して連結した折り畳み式携帯端末装置において、前記第一の筐体と複数の軸受け部で連結された前記ヒンジ部を前記第二の筐体とともに長手方向に開閉する第一回動軸と、前記ヒンジ部の、前記複数の軸受け部のうちの前記ヒンジ部の片隅に設けられた軸受け部に、前記第一回動軸に直交するように設けられ、前記第二の筐体を短手方向に開閉する第二回動軸と、前記第二の筐体の前記ヒンジ部と連結された箇所の近傍に設けた第一の磁石と、前記ヒンジ部の前記第二回動軸の反対側に設けた第二の磁石と、前記第一の筐体に、前記第二の筐体を閉じた状態で前記第一の磁石と対向する位置に設けた第一の磁気検出手段と、前記第二の筐体に、前記第二の筐体を閉じた状態で前記第二の磁石と対向する位置に設けた第二の磁気検出手段と、を有し、前記第一の磁気検出手段は、前記第一の磁石の発生する磁気の検出に基づいて、前記第二の筐体の長手方向の開閉を検出し、前記第二の磁気検出手段は、前記第二の磁石の発生する磁気の検出に基づいて、前記第二の筐体の短手方向の開閉を検出するように構成している。
【００１３】
本発明は、第一の筐体と第二の筐体とを前記第一の筐体の短手方向に略平行な一端辺部に沿って配設したヒンジ部を介して連結した折り畳み式携帯端末装置において、前記第一の筐体に設けた前記ヒンジ部を前記第二の筐体とともに長手方向に開閉する第一回動軸と、前記ヒンジ部の片隅に前記第一回動軸に直交するように設けられ、前記第二の筐体を短手方向に開閉する第二回動軸と、前記第二の筐体の前記ヒンジ部と連結された箇所の近傍に設けた第一の磁石と、前記ヒンジ部の前記第二回動軸の反対側に設けた第二の磁石と、前記第一の筐体に、前記第二の筐体を閉じた状態で前記第一の磁石と対向する位置に設けた第一の磁気検出手段と、前記第二の筐体に、前記第二の筐体を閉じた状態で前記第二の磁石と対向する位置に設けた第二の磁気検出手段と、を有し、前記第一の磁気検出手段は、前記第一の磁石の発生する磁気の検出に基づいて、前記第二の筐体の長手方向の開閉を検出し、前記第二の磁気検出手段は、前記第二の磁石の発生する磁気の検出に基づいて、前記第二の筐体の短手方向の開閉を検出するように構成している。
【００１４】
本発明は、第一の筐体と第二の筐体とをヒンジ部を介して連結した折り畳み式携帯端末装置において、前記第一の筐体に設けた前記ヒンジ部を前記第二の筐体とともに長手方向に開閉する第一回動軸と、前記ヒンジ部の片隅に前記第一回動軸に直交するように設けられ、前記第二の筐体を短手方向に開閉する第二回動軸と、前記第一の筐体に設けた係合ピンと、前記第二の筐体に設けた係合部と、前記第二の筐体の前記ヒンジ部と連結された箇所の近傍に設けた第一の磁石と、前記ヒンジ部の前記第二回動軸の反対側に設けた第二の磁石と、前記第一の筐体に、前記第二の筐体を閉じた状態で前記第一の磁石と対向する位置に設けた第一の磁気検出手段と、前記第二の筐体に、前記第二の筐体を閉じた状態で前記第二の磁石と対向する位置に設けた第二の磁気検出手段と、を有し、前記係合ピンと前記係合部とは、前記第二の筐体が短手方向に開くときに、第二の筐体の回動を支える支持部として機能し、前記第一の磁気検出手段は、前記第一の磁石の発生する磁気の検出に基づいて、前記第二の筐体の長手方向の開閉を検出し、前記第二の磁気検出手段は、前記第二の磁石の発生する磁気の検出に基づいて、前記第二の筐体の短手方向の開閉を検出するように構成している。
【発明の効果】
【００２２】
本発明によれば、携帯電話機、ゲーム機やテレビ受信機能をもったＰＤＡなど、２つの回動軸を備え長手方向と短手方向に開閉可能に構成した折り畳み式携帯端末装置において、第二の筐体を折り畳んだ状態から開いたときに、長手方向に開かれたのか、短手方向に開かれたのかを適切に判定することができる。
【００２３】
また、長手方向と短手方向の両方向に同時に開くことにより第二回動軸に過大な負荷がかかる使い方がされたことを検出して警告することができる。
【００２４】
そして、２つの回動軸を備え長手方向と短手方向に開閉可能にした構成に無線電話通信手段を更に設け、着信時に筐体が開いたときに自動的に回線を接続する機能を搭載したときに、着信時に筐体を長手方向に開いたときには回線を接続するが、短手方向に開いたときには回線を接続してしまうことのない使い勝手の良い折り畳み式携帯電話機を実現することができる。
【発明を実施するための最良の形態】
【００２５】
（実施の形態１）
本発明の実施の形態１では、第一の筐体と第二の筐体とをヒンジ部で連結し、長手方向に開閉したときは第一の筐体とヒンジ部と間に設けた長手方向開閉検出手段が開閉を検出し、短手方向に開閉したときはヒンジ部と第二の筐体との間に設けた短手方向開閉検出手段が開閉を検出するように構成して課題を解決している。
【００２６】
図１に、本発明の実施の形態１に係る折り畳み式携帯電話機１００の第二の筐体２を長手方向に開いた状態を斜視図として示す。また図２に、本発明の実施の形態１に係る折り畳み式携帯電話機１００の第二の筐体２を短手方向に開いた状態を斜視図として示す。
【００２７】
図１において、操作部５１のある第一の筐体１は、軸受部１ａ、１ｂで、第一回動軸９を支持し、ヒンジ部３は軸受部３ａ、３ｂにより第一回動軸９の周りに回動自在に取り付けられている。ヒンジ部３の片隅には、破線で示す第二回動軸１０が第一回動軸９に直交するように設けてあり、第二回動軸１０には第二の筐体２が回動自在に取り付けられている。第二の筐体２には表示部５２を設けている。
【００２８】
ヒンジ部３には磁石６ａと磁石６ｂを埋め込んでいる。第一の筐体１には、ヒンジ部３が第一の筐体上に折り畳まれたときに磁石６ａが対向する位置に磁力検出手段であるホール素子５を埋め込んでいる。ホール素子５と磁石６ａとで、第一の筐体１とヒンジ部３との開閉状態を検出する長手方向開閉検出手段を形成している。
【００２９】
また第二の筐体２には、ヒンジ部３と第二の筐体２が閉じたときにヒンジ部３の磁石６ｂに対向する位置に同じく磁力検出手段であるホール素子７を埋め込んでいる。ホール素子７と磁石６ｂとで、ヒンジ部３と第二の筐体２との開閉状態を検出する短手方向開閉検出手段を形成している。
【００３０】
ホール素子５は、ヒンジ部３が第一回動軸９について長手方向に開き、ヒンジ部３に埋め込んだ磁石６ａが離れると、磁石６ａの磁力が失われたことによりヒンジ部３が長手方向に開いたことを検出する。そして、ヒンジ部３が閉じてホール素子５が磁石６ａに接近し、磁石６ａの磁力を検出したときにヒンジ部３が長手方向に閉じたことを検出する。
【００３１】
ホール素子７は、第二の筐体２が第二回動軸１０について短手方向に開き、ヒンジ部３に埋め込んだ磁石６ｂが離れると、磁石６ｂの磁力が失われたことにより第二の筐体２が短手方向に開いたことを検出する。そして、第二の筐体２が閉じてホール素子７が磁石６ｂに接近し、磁石６ｂの磁力を検出したときに第二の筐体２が短手方向に閉じたことを検出する。
【００３２】
図１のように、ヒンジ部３が第二の筐体２とともに第一の筐体１に対して長手方向に開閉すると、ホール素子５が長手方向の開閉を検出する。このとき、ホール素子７は磁石６ｂの磁力を検出して、ヒンジ部３と第二の筐体２が閉じていることを検出する。
【００３３】
図２において、各部分の配置は図１と同じであるが、第二の筐体２が閉じた状態から、第二回動軸１０の周りに回動して、第二の筐体２が第一の筐体１に対して短手方向に開いている。図２のように、第二の筐体２がヒンジ部３に対して短手方向に開閉すると、ホール素子７が短手方向の開閉を検出する。このとき、ホール素子５は磁石６ａの磁力を検出し、ヒンジ部３が第一の筐体１に対して閉じていることを検出する。
【００３４】
このように、折り畳み式携帯電話機１００では、ヒンジ部３が第二の筐体２とともに第一の筐体１に対して長手方向に開閉すると、ホール素子５が長手方向の開閉を検出する。このとき、ホール素子７はヒンジ部３と第二の筐体２が閉じていることを検出している。また、第二の筐体２がヒンジ部３に対して短手方向に開閉すると、ホール素子７が第二の筐体２の短手方向の開閉を検出する。このとき、ホール素子５はヒンジ部３と第一の筐体１が閉じていることを検出している。
【００３５】
なお、折り畳み式携帯電話機１００では、開閉時に第二回動軸１０に過大な曲げ応力がかからないようにする配慮として、第一の筐体１に対してヒンジ部３を閉じると、第一の筐体１の中から磁力により係合ピン２０が突出するようにしている。第一の筐体１に対してヒンジ部３とともに第二の筐体２を閉じると、係合ピン２０が第二の筐体２の端部近くに設けた係合部２１にはまる。
【００３６】
また、第二の筐体２の端部近くには係合突起２３を設け、第二の筐体２を閉じたときにヒンジ部３に設けた係合溝２２にはまるようにしている。係合ピン２０と係合部２１がはまっている状態で第二の筐体２を短手方向に開けると、係合ピン２０と係合部２１は第二回動軸１０とともに第二の筐体２の回動を支える支持部として機能する。
【００３７】
また、係合溝２２と係合突起２３がはまっている状態で第二の筐体２を長手方向に開けると、係合溝２２と係合突起２３は第二回動軸１０とともに第二の筐体２とヒンジ部３を一体的に開閉させるためのロック機構として機能する。
【００３８】
図３に、本発明の実施の形態１に係る折り畳み式携帯電話機１００の第二の筐体２を長手方向に開いたときの側面図を示す。なお、図中の「Ｒ」は磁石６ａと磁石６ｂの磁力が及ぶ距離を模式的に示し、二点鎖線の円は磁石６ａと磁石６ｂの磁力が及ぶ範囲を模式的に示すとして説明する。
【００３９】
図３（ａ）は、ヒンジ部３が第二の筐体２とともに長手方向に少し開いたときの状態を示している。この時点で、ホール素子５とホール素子７は、それぞれ磁石６ａと磁石６ｂの磁力を検出している。その後、ヒンジ部３が長手方向に大きく開き、図３（ｂ）のようになると、ホール素子５には磁石６ａの磁力が及ばずヒンジ部３が長手方向に開いたことを検出する。一方、ホール素子７は磁石６ｂの磁力を検出し続けている。
【００４０】
図４に、本発明の実施の形態１に係る折り畳み式携帯電話機１００の第二の筐体２をヒンジ部３に対して短手方向に開閉するときの正面図を示す。なお図３と同様に、図中の「Ｒ」は磁石６ａと磁石６ｂの磁力が及ぶ距離を示し、二点鎖線の円は磁石６ａと磁石６ｂの磁力が及ぶ範囲を示すとして説明する。
【００４１】
図４（ａ）は、第二の筐体２が閉じた状態を示す。図４（ｂ）は、第二の筐体２が短手方向に少し開いたときの状態を示す。この時点で、ホール素子７は、第二の筐体２が開いて磁石６ｂの磁力が失われたことにより、第二の筐体２が短手方向に開いたことを検出する。一方、ホール素子５は磁石６ａの磁力を検出し続けている。第二の筐体２が更に開いて図４（ｃ）のようになると、ホール素子７に磁石６ｂの磁力が全く及ばないが、ホール素子５は磁石６ａの磁力を検出し続けている。
【００４２】
このように、折り畳み式携帯電話機１００では、ヒンジ部３を第二の筐体２とともに第一の筐体１に対して長手方向に開閉すると、ホール素子５が第二の筐体２の長手方向の開閉を検出する。このとき、ホール素子７はヒンジ部３と第二の筐体２とが閉じていることを検出している。また、第二の筐体２をヒンジ部３に対して短手方向に開閉すると、ホール素子７が第二の筐体２の短手方向の開閉を検出する。このとき、ホール素子５はヒンジ部３と第一の筐体１とが閉じていることを検出している。
【００４３】
そのため、本発明によれば、折り畳み式携帯電話機をはじめとする、２つの回動軸を備え長手方向と短手方向に開閉可能に構成した折り畳み式携帯端末装置において、第二の筐体を折り畳んだ状態から開いたときに、長手方向に開かれたか、短手方向に開かれたかを適切に判定して表示部の表示方向を決定することができる。
【００４４】
なお上記では、長手方向開閉検出手段を構成する磁石６ａをヒンジ部３に設けた例を説明したが、図５に示すように磁石６ａをホール素子５に対応するように第二の筐体２に設けた場合であっても同様の効果を有する。
【００４５】
また上記では、長手方向開閉検出手段や短手方向開閉検出手段として、磁石と磁力検出手段の組合せによる構成を用いた例を示したが、長手方向開閉検出手段や短手方向開閉検出手段のいずれかまたは両方に、突起と、突起で押されることにより接点が接触する機械的スイッチを用いたり、遮蔽部材と光センサーを組み合わせて用いたりしても良い。
【００４６】
（実施の形態２）
本発明によれば、長手方向の開閉状態と短手方向の開閉状態を同時に検出することができる。そこで、本発明の実施の形態２では、長手方向か短手方向かのどちらか一方向に択一的に開く使い方を正常な使い方と定め、長手方向と短手方向の両方同時に開く使い方を誤った使い方と定めておき、長手方向と短手方向の両方同時に開かれたことを検出したときは、不適切な使い方がされているとしてランプ表示やブザー音声などで警告する警告動作をするようにしている。
【００４７】
すなわち、実施の形態１の図１と図２を用いて説明したように、係合ピン２０と係合部２１を係合させて、係合ピン２０と係合部２１を第二回動軸１０とともに第二の筐体２の回動を支える支持部として機能させている。あるいは、係合溝２２と係合突起２３を係合させて、係合溝２２と係合突起２３を第二回動軸１０とともに第二の筐体２とヒンジ部３を一体的に開閉させるためのロック機構として機能させているのは、開閉時に第二回動軸１０に過大な曲げ応力がかからないようにするためである。
【００４８】
例えば、ヒンジ部３を第一の筐体１に対して長手方向に開いた状態のまま、更にヒンジ部３に対して第二の筐体２を短手方向に開く動作をしたときは、第二の筐体２を支える第二回動軸１０に負荷がかかる。また、ヒンジ部３に対して第二筐体２を短手方向に開いた状態のままヒンジ部３を第一の筐体１に対して長手方向に開く動作をしたときも、第二の筐体２を支える第二回動軸１０に負荷がかかる。
【００４９】
そこで、本発明の実施の形態２に係る折り畳み式携帯電話機２００では、図６にフローチャートを示すように制御している。図６のフローチャートとともに以下、説明する。図６において、折り畳み式携帯電話機２００に電源が入り、着信待ち受け状態にあるとき（ステップＳ１）、長手方向に開かれると（ステップＳ２のＹＥＳ）、長手方向に表示を行なう。
【００５０】
もしその状態で更に、短手方向に開かれると（ステップＳ４のＹＥＳ）、表示部５２に警告文を表示したり、図示しないスピーカにブザー音を出力したりして警告動作をする。ブザー音声の代わりに「筐体を一旦閉じ、その後開いてください。」という音声メッセージを出力しても良い（ステップＳ５）。閉じれば（ステップＳ６）、開閉状態を確認する（ステップＳ２）。もし、長手方向に開き長手方向の表示をした後、ステップＳ４で更に短手方向に開かれなければ（ステップＳ４のＮＯ）、閉じるまで、長手方向の表示を継続する。
【００５１】
着信待ち受け状態にあるとき（ステップＳ１）、長手方向でなく（ステップＳ２のＮＯ）、短手方向に開かれると（ステップＳ７のＹＥＳ）、短手方向に表示を行なう（ステップＳ８）。もしその状態で更に、長手方向に開かれると（ステップＳ９のＹＥＳ）、警告動作をする（ステップＳ５）。もし、短手方向に開き短手方向に表示をした後、ステップＳ９で更に長手方向に開かれなければ（ステップＳ９のＮＯ）、閉じるまで、短手方向の表示を継続する。
【００５２】
このように、本発明の実施の形態２に係る折り畳み式携帯電話機２００では、ヒンジ部３を第一の筐体１に対して長手方向に開いた状態で、更にヒンジ部３に対して第二の筐体２を短手方向に開いたときは警告する。また、ヒンジ部３に対して第二筐体２を短手方向に開いた状態で更に、ヒンジ部３を第一の筐体１に対して長手方向に開いたときも警告する。このことにより、第二回動軸１０に過大な曲げ応力をかけるような使い方を警告して、中止させることができる。
【００５３】
（実施の形態３）
次に、本発明の実施の形態３を説明する。本発明の実施の形態３にかかる携帯電話機３００は、ヒンジ部に開閉検出用の一つの磁石を設け、第一の筐体と第二の筐体にそれぞれ、磁力検出手段を設けている。そして、ヒンジ部の磁石と第一の筐体の磁力検出手段で長手方向開閉検出手段を構成し、ヒンジ部の磁石と第二の筐体の磁力検出手段で短手方向開閉検出手段を構成することにより、ヒンジ部を第一の筐体に対して長手方向に開いたこと、第二の筐体をヒンジ部に対して開いたことをそれぞれ検出している。
【００５４】
図７に、本発明の実施の形態３に係る折り畳み式携帯電話機３００の第二の筐体２を長手方向に開いた状態を斜視図として示す。基本的には既に説明した実施の形態１の図１の構成と似ているが、ヒンジ部３に一つの磁石６ｃを埋め込んだ点が大きく異なる。ホール素子５はヒンジ部３を閉じたときに磁石６ｃに対向する第一の筐体１の位置に設けてある。また、ホール素子７は、ヒンジ部３に対して第二の筐体２が閉じたときに磁石６ｃに対向する位置に設けている。
【００５５】
図７のようにヒンジ部３を第二の筐体２とともに第一の筐体に対して長手方向に開いたときは、磁石６ｃとホール素子５が離れ、長手方向に開いたことが検出される。このとき、ホール素子７は磁石６ｃの磁力を検出し続けている。
【００５６】
図８に、本発明の実施の形態３に係る折り畳み式携帯電話機３００の第二の筐体２を短手方向に開いた状態を斜視図として示す。図８のように第二の筐体２をヒンジ部３に対して短手方向に開いたときは、磁石６ｃとホール素子７が離れ、短手方向に開いたことが検出される。このとき、ホール素子５は磁石６ｃの磁力を検出し続けている。
【００５７】
図９（ａ）に折り畳み式携帯電話機３００を長手方向に少し開いたときの左側面図を示す。図９（ｂ）に、折り畳み式携帯電話機３００を長手方向に大きく開いたときの左側面図を示す。長手方向に開いたときは、磁石６ｃとホール素子５が離れ、長手方向に開いたことが検出されるが、ホール素子７は磁石６ｃの磁力を検出し続けていることが理解されよう。
【００５８】
また、図１０（ａ）に折り畳み式携帯電話機３００を閉じたときの正面図を、図１０（ｂ）に折り畳み式携帯電話機３００を短手方向に少し開いたときの正面図を、図１０（ｃ）に折り畳み式携帯電話機３００を短手方向に大きく開いたときの正面図を示す。短手方向に開いたときは、磁石６ｃとホール素子７が離れ、短手方向に開いたことが検出されるが、ホール素子５は磁石６ｃの磁力を検出し続けていることが理解されよう。
【００５９】
以上説明したとおり、本発明の第三の実施形態に係る折り畳み式携帯電話機３００では、磁石６ｃを共用した場合でも、長手方向開閉検出と短手方向の回転検出が独立して行なえる。磁石６ｃを共用した結果、磁石一つ分の重量と空間が節約でき、更なる小型軽量化をすることができる。
【００６０】
（実施の形態４）
次に、本発明の実施の形態４として、無線電話通信手段を更に設け、着信時に筐体が開いたときに自動的に回線を接続し、回線接続後に筐体が閉じれば回線を切断する機能を搭載した折り畳み式携帯電話機について説明する。
【００６１】
図１１に、本発明の実施の形態４に係る折り畳み式携帯電話機４００の主な機能ブロックをブロック図として示す。折り畳み式携帯電話機４００には、送受信部１１があり、アンテナ１１ａにより、携帯電話回線の無線電波を送受信する。送受信部１１は回線制御部１２に接続している。回線制御部１２は、回線接続ブロック１２ａと回線切断ブロック１２ｂを用いて携帯電話の電話回線を接続したり、切断したりする。回線制御部１２は、全体制御部１３に接続していて、携帯電話機として機能するために全体制御部１３により制御される。
【００６２】
全体制御部１３には開閉検出制御部１４が接続されている。また、開閉検出制御部１４には、図１と図２で既に、ホール素子５として説明した長手方向検出部と、ホール素子７として説明した短手方向検出部とが接続している。
【００６３】
開閉検出制御部１４は、折り畳み式携帯電話機４００の折り畳み状況を長手方向検出部と短長手方向検出部で検出する。また、全体制御部１３にはスピーカ１５とマイクロフォン１６を接続していて、送受信部１１から受信した音声を出力し、あるいは音声を入力して送受信部１１から基地局経由で他の携帯電話機に送信するようにしている。
【００６４】
図１２に、本発明の実施の形態４に係る折り畳み式携帯電話機４００の動作を説明するためのフローチャートを示す。本発明の折り畳み式携帯電話機４００では、第二の筐体が長手方向に開かなければ、回線を接続しない点に特徴がある。
【００６５】
折り畳み式携帯電話機４００では、着信待ち受け状態で（ステップＳ１１）、着信があったとき（ステップＳ１２のＹＥＳ）、第二の筐体２が長手方向に開くか否かを見ている。第二の筐体２が長手方向に開いたことが検出されると（ステップＳ１３のＹＥＳ）、回線を接続し通話を開始する（ステップＳ１４）。通話後、第二の筐体２が閉じれば（ステップＳ１５のＹＥＳ）、通話を終了し、回線を切断する（ステップＳ１６）。
【００６６】
本発明によれば、２つの回動軸を備え長手方向と短手方向に開閉可能に構成した折り畳み式携帯電話機において、第二の筐体を折り畳んだ状態から開いたときに、長手方向に開かれたのか、短手方向に開かれたのかを択一的に判定している。そのため長手方向に開いたときは回線を接続するが、誤って短手方向に開いたのに長手方向に開いたと検出をすることが無く、短手方向に開いたときに回線を接続しないという効果がある。
【産業上の利用可能性】
【００６７】
本発明は、折り畳み式携帯電話機に限らず、表示画面を縦横に切り替えて使用するゲーム機や、テレビ受信機能を持ったＰＤＡのように、２つの回動軸を備え長手方向と短手方向に開閉可能に構成した折り畳み式携帯端末装置に適用できる。
【図面の簡単な説明】
【００６８】
【図１】本発明の実施の形態１に係る携帯電話機の筐体を長手方向に開いた状態を示す斜視図
【図２】本発明の実施の形態１に係る携帯電話機の筐体を短手方向に開いた状態を示す斜視図
【図３】（ａ）本発明の実施の形態１に係る携帯電話機の第二の筐体を長手方向に少し開いた状態を示す左側面図（ｂ）本発明の実施の形態１に係る携帯電話機の第二の筐体を長手方向に大きく開いた状態を示す左側面図
【図４】（ａ）本発明の実施の形態１に係る携帯電話機の第二の筐体を閉じた状態を示す正面図（ｂ）本発明の実施の形態１に係る携帯電話機の第二の筐体を短手方向に少し開いた状態を示す正面図（ｃ）本発明の実施の形態１に係る携帯電話機の第二の筐体を短手方向に大きく開いた状態を示す正面図
【図５】本発明の実施の形態１の変形例に係る携帯電話機の筐体を短手方向に開いた状態を示す斜視図
【図６】本発明の実施の形態２に係る携帯電話機の着信時の動作を示すフローチャート
【図７】本発明の実施の形態３に係る携帯電話機の筐体を長手方向に開いた状態を示す斜視図
【図８】本発明の実施の形態３に係る携帯電話機の筐体を短手方向に開いた状態を示す斜視図
【図９】（ａ）本発明の実施の形態３に係る携帯電話機の第二の筐体を長手方向に少し開いた状態を示す左側面図（ｂ）本発明の実施の形態３に係る携帯電話機の第二の筐体を長手方向に大きく開いた状態を示す左側面図
【図１０】（ａ）本発明の実施の形態３に係る携帯電話機の第二の筐体を閉じた状態を示す正面図（ｂ）本発明の実施の形態３に係る携帯電話機の第二の筐体を短手方向に少し開いた状態を示す正面図（ｃ）本発明の実施の形態３に係る携帯電話機の第二の筐体を短手方向に大きく開いた状態を示す正面図
【図１１】本発明の実施の形態４に係る携帯電話機の構成を示すブロック図
【図１２】本発明の実施の形態４に係る携帯電話機の着信時の動作を示すフローチャート
【図１３】従来の携帯電話機の第二の筐体を長手方向に開いた状態を示す斜視図
【図１４】従来の携帯電話機の第二の筐体を長手方向に開いた後、更に第二の筐体を回転した状態を示す斜視図
【図１５】従来の携帯電話機の第二の筐体をヒンジ部とともに長手方向に開き、第二の筐体をヒンジ部に対して回転させ、その後ヒンジ部を閉じたときの状態を示す斜視図
【図１６】従来の携帯電話機について第二の筐体を短手方向に開いた状態を示す斜視図
【符号の説明】
【００６９】
１    第一の筐体
２    第二の筐体
３    ヒンジ部
５，７    ホール素子
６ａ，６ｂ，６ｃ    磁石
９    第一回動軸
１０    第二回動軸
【要約】
【課題】長手方向と短手方向に開閉可能な携帯電話機では、着信時に長手方向に筐体を開いたときに自動的に回線を接続する機能を搭載すると、着信時に筐体を短手方向に開いたときに誤って回線を接続してしまうことがあった。
【解決手段】第一の筐体１と第二の筐体２とをヒンジ部３を介して連結した折り畳み式携帯端末装置において、第一の筐体１に対してヒンジ部３を長手方向に開閉する第一回動軸９と、ヒンジ部３に対して第二の筐体２を短手方向に開閉する第二回動軸１０と、第一の筐体１とヒンジ部３と間の開閉状態を検出する長手方向開閉検出手段と、ヒンジ部３と第二の筐体２との間の開閉状態を検出する短手方向開閉検出手段とを設け、ヒンジ部３を長手方向に開閉したときは、長手方向開閉検出手段が開閉を検出し、第二の筐体２を短手方向に開閉したときは、短手方向開閉検出手段が開閉を検出するように構成して誤検出をなくした。
【選択図】図１【図１】
0004175429.tif 000002
【図２】
0004175429.tif 000003
【図３】
0004175429.tif 000004
【図４】
0004175429.tif 000005
【図５】
0004175429.tif 000006
【図６】
0004175429.tif 000007
【図７】
0004175429.tif 000008
【図８】
0004175429.tif 000009
【図９】
0004175429.tif 000010
【図１０】
0004175429.tif 000011
【図１１】
0004175429.tif 000012
【図１２】
0004175429.tif 000013
【図１３】
0004175429.tif 000014
【図１４】
0004175429.tif 000015
【図１５】
0004175429.tif 000016
【図１６】
0004175429.tif 000017